(57)【要約】【課題】上球貯留部から下球貯留部に亘って延在形成された球通出路を介して異物を侵入させることによる不正行為を防止する。【解決手段】前枠Ｃに、上球皿Ｅと該上球皿Ｅの下方に設けられた下球皿Ｆとを連通する第２球通出路Ｒ２が設けられる。第２球通出路Ｒ２は、球払出し部から上球皿Ｅに至る経路から零れた遊技球を下球皿Ｆへ通出案内する第１球通出路Ｒ１において、下球皿Ｆに臨む球通出口８９Ｂの上流側に隣接する位置で、該第１球通出路Ｒ１に合流するように設けられる。第２球通出路Ｒ２の第１球通出路Ｒ１に臨む球流出口１１１の下流側に、第１球通出路Ｒ１の内側から突出して該球流出口１１１を隠す前壁部９７が設けられる。前壁部９７の背面に、球流出口１１１から球通出口８９Ｂの端部に向け延在する球誘導部１００が設けられる。【選択図】図１５
2014061032.tif 000002
【特許請求の範囲】
【請求項１】
球払出し部から払出された遊技球を貯留可能に形成されると共に、貯留した遊技球を打球発射装置へ供給可能な上球貯留部と、
前記上球貯留部の下方に設けられ、遊技球を貯留可能な下球貯留部と、
前記球払出し部から前記上球貯留部に至る経路から零れた遊技球を該下球貯留部へ通出案内する第１球通出路と、
前記上球貯留部と前記下球貯留部とを連通するよう形成され、球抜き手段の球抜き操作に伴い、上球貯留部に貯留された遊技球を下球貯留部へ通出案内する第２球通出路とを備え、
前記第２球通出路は、前記第１球通出路が前記下球貯留部に開口した球通出口の上流側に隣接する位置で該第１球通出路に合流するよう出口が形成され、
前記第２球通出路の出口の下流側に、前記第１球通出路の内側から突出して該出口を隠す壁部が設けられた
ことを特徴とする遊技機。
【請求項２】
前記壁部の背面に、前記出口から前記球通出口の端部に向け延在する球誘導部が設けられた請求項１記載の遊技機。
【請求項３】
前記球誘導部は、第１球通出路内へ突出すると共に上下に所要間隔毎に配設された複数の凸部から構成された請求項２記載の遊技機。
【請求項４】
前記第２球通出路は、前記上球貯留部から下方向へ延在する縦球通出路と、該縦球通出路の下部から出口に向け横方向へ延在する横球通出路とから構成されている請求項１〜３の何れか一項に記載の遊技機。
【発明の詳細な説明】
【技術分野】
【０００１】
この発明は、遊技球を貯留可能な上球貯留部および下球貯留部を備えた遊技機に関するものである。
【背景技術】
【０００２】
代表的な遊技機であるパチンコ機は、遊技店に設けられた「島」とも称される設置枠台に固定される枠部材である外枠と、該外枠に対して着脱および開閉可能に枢支され、遊技盤が交換可能に配設される枠部材である中枠と、中枠の前面側に着脱および開閉可能に枢支され、中枠に配設した遊技盤を透視保護する透明板が配設される枠部材としての前枠とを備えている。前枠には、透明板が配設される窓口の下方に、球払出し部から払出された遊技球を貯留可能な上球貯留皿が配設されていると共に、上球貯留皿の下方には、遊技球を貯留可能な下球貯留皿が配設されている。また中枠には、球払出し部から下球貯留皿に亘って延在する球通出路が延在形成されている。従ってパチンコ機は、球払出し部から払出された遊技球を先ず上球貯留皿に貯留すると共に、上球貯留皿が遊技球で満杯となった場合には、該上球貯留皿に貯留不能な遊技球を球通出路を介して下球貯留皿に貯留するよう構成されている。
【０００３】
前記パチンコ機では、下球貯留皿の右方に配設された操作ハンドルを操作することで、上球貯留皿に一時的に貯留された遊技球が、該上球貯留皿から打球発射装置に向けて設けられた球供給路を介して該打球発射装置に供給された後、該打球発射装置の作動により遊技盤に打ち出すようになっている。そして、遊技盤の遊技領域に打ち込まれた遊技球が該遊技領域内に配設された始動入賞装置に入賞することにより、該遊技盤に配設された図柄表示装置の表示部での図柄変動演出が開始され、該表示部に図柄が所定の組み合わせで停止することにより遊技者に有利な特別遊技状態(例えば「大当り」)が発生すると、遊技盤の遊技領域に設けられた特別入賞装置が開放して多数の遊技球が入賞することで、前述した球払出し部から多数の遊技球が賞球として上球貯留皿または下球貯留皿へ払出されるよう構成される。
【０００４】
また、前記上球貯留部に球抜き手段が設けられると共に、該上球貯留部から下球貯留部に向けて延在する第２の球通出路が延在形成されている。これにより、例えばパチンコ遊技の終了時に、球抜き手段による球抜き操作に伴い、上球貯留皿に貯留された遊技球を、第２の球通出路を介して下球貯留皿へ通出案内し得るようになっている。このような第２の球通出路については、特許文献１に開示されている。
【先行技術文献】
【特許文献】
【０００５】
【特許文献１】特開２００３−１４４７２０号公報
【発明の概要】
【発明が解決しようとする課題】
【０００６】
ところで、特許文献１に開示のパチンコ機において前記第２の球通出路に相当する球抜き導出路は、下球貯留皿内に球通出口が開口形成されており、パチンコ機の前側から該球通出口が容易に視認されるようになっている。このため、球通出口から針金等の異物を挿入させ易くなっており、球抜き導出路が該異物を使用した不正行為の糸口とされるおそれがあった。
【０００７】
すなわち本発明は、従来の技術に係る遊技機に内在する前記課題に鑑み、これを好適に解決するべく提案されたものであって、上球貯留部から下球貯留部に亘って延在形成された球通出路を介して異物を侵入させることによる不正行為を防止するよう構成した遊技機を提供することを目的とする。
【課題を解決するための手段】
【０００８】
前記課題を解決し、所期の目的を達成するため、本発明の請求項１に係る発明は、
球払出し部から払出された遊技球を貯留可能に形成されると共に、貯留した遊技球を打球発射装置へ供給可能な上球貯留部(E)と、
前記上球貯留部(E)の下方に設けられ、遊技球を貯留可能な下球貯留部(F)と、
前記球払出し部から前記上球貯留部(E)に至る経路から零れた遊技球を該下球貯留部(F)へ通出案内する第１球通出路(R1)と、
前記上球貯留部(E)と前記下球貯留部(F)とを連通するよう形成され、球抜き手段(60)の球抜き操作に伴い、上球貯留部(E)に貯留された遊技球を下球貯留部(F)へ通出案内する第２球通出路(R2)とを備え、
前記第２球通出路(R2)は、前記第１球通出路(R1)が前記下球貯留部(F)に開口した球通出口(89B)の上流側に隣接する位置で該第１球通出路(R1)に合流するよう出口(111)が形成され、
前記第２球通出路(R2)の出口(111)の下流側に、前記第１球通出路(R1)の内側から突出して該出口(111)を隠す壁部(97)が設けられたことを要旨とする。
【０００９】
請求項１に係る発明によれば、上球貯留部から第１球通出路に合流するよう延在形成された第２球通出路の出口が、該出口の下流側に設けられた壁部により隠れるから、第１球通出路の球通出口から該出口の位置を容易に確認することができない。従って、第２球通出路が、第１球通出路の球通出口から出口を介して該第２球通出路へ針金等の異物を挿入する不正行為の糸口とされることを防止することができる。
【００１０】
請求項２に係る発明では、
前記壁部(97)の背面に、前記出口(111)から前記球通出口(89B)の端部に向け延在する球誘導部(100)が設けられたことを要旨とする。
請求項２に係る発明によれば、球払出し部から第１球通出路を介して通出された遊技球や、上球貯留部から第２球通出路を介して第１球通出路内へ通出された遊技球を、球誘導部により該第１球通出路の球通出口へスムーズに案内することができる。
【００１１】
請求項３に係る発明では、
前記球誘導部(100)は、第１球通出路(R1)内へ突出すると共に上下に所要間隔毎に配設された複数の凸部(101)から構成されたことを要旨とする。
請求項３に係る発明によれば、第１球通出路の球通出口から挿入した針金等の異物の先端が球誘導部の凸部に引掛かり易くして、該異物の第２球通出路内への侵入を困難にすることができる。
【００１２】
請求項４に係る発明では、
前記第２球通出路(R2)は、前記上球貯留部(E)から下方向へ延在する縦球通出路(115)と、該縦球通出路(115)の下部から出口(111)に向け横方向へ延在する横球通出路(116)とから構成されていることを要旨とする。
請求項４に係る発明によれば、球抜き手段の球抜き操作に伴い、上球貯留部に貯留された遊技球を縦球通出路へスムーズに通入させ得ると共に、該縦球通出路から横球通出路へ移動した遊技球を、減速、減勢させた後に第１球通出路へ通出させることができる。また、万一、第１球通出路の球通出口から挿入した異物が第２球通出路内へ侵入したとしても、横球通出路と縦球通出路との屈曲部において該異物の先端が引掛かるようになり、該異物が上球貯留部まで到達することを防止し得る。
【発明の効果】
【００１３】
本発明に係る遊技機によれば、上球貯留部から下球貯留部に亘って延在形成された球通出路を介して異物を侵入させることによる不正行為を防止し得る。
【図面の簡単な説明】
【００１４】
【図１】実施例のパチンコ機の正面図である。
【図２】実施例のパチンコ機を、中枠から前枠を開放すると共に遊技盤の遊技領域内を省略した状態で示す斜視図である。
【図３】第１球通出路を構成する後球通路部材および打球発射装置が配設された中枠の下枠部材を示す斜視図である。
【図４】前枠を前側から見た分解斜視図である。
【図５】前枠を後側から見た分解斜視図である。
【図６】前枠を構成する設置部材に配設される上球皿、前装飾部材、下装飾部材および前球通路部材と、該上球皿に配設される球抜きユニットとを分解して前側から見た斜視図である。
【図７】前枠を構成する設置部材に配設される上球皿、前装飾部材、下装飾部材および前球通路部材と、該上球皿に配設される球抜きユニットとを分解して後側から見た斜視図である。
【図８】上球皿および球抜きユニットの分解斜視図である。
【図９】(ａ)は、球抜きユニットの非操作状態を示す説明図であり、(ｂ)は、球抜きユニットの操作状態を示す説明図である。
【図１０】前枠の下側部分を、前装飾部材および金属ベース部材を取り外した状態で示す斜視図である。
【図１１】(ａ)は、前球通路部材を前上方から見た斜視図であり、(ｂ)は、前球通路部材を後上方から見た斜視図である。
【図１２】前枠の枠本体における下枠部に設けられ、上球皿と第１球通出路とを連通する第２球通出路を、蓋部材を取り外した状態で示す背面図である。
【図１３】図１２のＸ−Ｘ線位置で破断した前枠の縦断面図である。
【図１４】図１２のＹ−Ｙ線位置で破断した前枠の平断面図であって、第１球通出路および第２球通出路を通過する遊技球が球誘導部で案内される状態を示している。
【図１５】図１２のＹ−Ｙ線位置で破断した前枠の平断面図であって、前球通路部材の球通出口から挿入した異物が球誘導部に引掛かった状態を示している。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機Ｐを例に挙げて説明する。また、以下の説明において、「前」、「後」、「左」、「右」とは、図１に示すようにパチンコ機Ｐを前側(遊技者側)から見た状態で指称する。
【実施例】
【００１６】
(パチンコ機の概略構成について)
実施例に係るパチンコ機Ｐは、図１および図２に示すように、遊技店に設けられた「島」とも称される設置枠台(図示せず)に固定される固定枠としての外枠Ａと、該外枠Ａに対して着脱および開閉可能に枢支された本体枠としての中枠Ｂと、該中枠Ｂに着脱交換可能に取り付けられて所要の遊技領域２７が画成された遊技盤Ｄと、中枠Ｂの前面側に着脱および開閉可能に枢支され、該中枠Ｂに配設した遊技盤Ｄを透視保護する透明板２９が配設される前枠Ｃとを備えている。前枠Ｃの前側には、透明板２９が配設された窓口３１の下方に、遊技球を貯留可能な上球皿(上球貯留部)Ｅが配設されると共に、該上球皿Ｅの下方に、遊技球を貯留可能な下球皿(下球貯留部)Ｆや、中枠Ｂに配設された打球発射装置Ｊ(図２参照)および前枠Ｃに配設された球送り装置Ｋを作動させるハンドルユニットＧが、左右に並んで配設されている。
【００１７】
このようなパチンコ機Ｐでは、上球皿Ｅから球送り装置Ｋを介して打球発射装置Ｊへ供給されて該打球発射装置Ｊにより遊技盤Ｄの遊技領域２７へ打ち込まれた遊技球が、該遊技領域２７内に配設された始動入賞装置(図示せず)に入賞することにより、該遊技盤Ｄに配設された図柄表示装置の表示部Ｈ(図１参照)での図柄変動演出が開始される。そしてパチンコ機Ｐは、図柄変動演出の結果として、表示部Ｈに図柄が所定の組み合わせで停止することにより遊技者に有利な特別遊技状態(例えば「大当り」)が発生すると、遊技盤Ｄの遊技領域２７に設けられた特別入賞装置(図示せず)が開放して多数の遊技球の入賞が可能となり、遊技球の入賞に基づいて中枠Ｂの後側に配設された球払出し部(図示せず)から多数の遊技球が賞球として上球皿Ｅへ払出されるよう構成される。
【００１８】
（中枠）
前記中枠Ｂは、図２に示すように、上縁をなす上枠部１０と、下縁をなして、打球発射装置Ｊ等が設置された下枠部１１と、左側縁をなす左枠部１２と、右側縁をなす右枠部１３とから構成され、全体が外枠Ａの開口に整合する矩形枠状に形成される。中枠Ｂには、遊技盤Ｄを前側から着脱可能に設置し得る遊技盤保持部１４が設けられている。そして中枠Ｂは、外枠Ａの左上および左下に設けられたヒンジ１５,１５を介して該外枠Ａに枢支され、中枠Ｂは外枠Ａに対して左側端部を中心として開閉し得るようになっている。なお中枠Ｂは、上下左右の各枠部１０,１１,１２,１３が一体成形されたものであってもよい。
【００１９】
図２および図３に示すように、前記中枠Ｂの下枠部１１における前面に、前述した打球発射装置Ｊが配設されている。この打球発射装置Ｊは、下枠部１１の前面に固定されるベース板１７と、該ベース板１７の前面に対し後向きに取り付けられて本体が前方へ突出した打球駆動手段としてのロータリー式の電磁ソレノイド１８と、該電磁ソレノイド１８の駆動軸に固定された打球杆１９と、ベース板１７の後面に左上がりの傾斜状に取り付けられた発射レール２０とを備えている。下枠部１１の左上隅部には、前後に貫通する開口２１が形成されており、中枠Ｂの後側に配設された球払出し部(図示せず)からの球払出し路(図示せず)が該開口２１の後側に整合すると共に、前枠Ｃに設けられた筒状の球案内筒４１(図２、図７参照)が該開口２１に対し前側から整合するようになっている。下枠部１１の前面左側には、第１球通出路Ｒ１を構成する後球通出路８６が内部に画成された後球通路部８５が、前記開口２１の下方から打球発射装置Ｊの左方まで右下がりに延在するように配設されている。この第１球通出路Ｒ１は、球払出し部から上球皿Ｅに至る経路の途中から溢れた遊技球を、下球皿Ｆへ通出案内する球通出路である。
【００２０】
(遊技盤)
前記遊技盤Ｄは、図２に示すように、略円形状に湾曲する外レール２５および内レール２６が盤面(前面)に配設されて、該内外レール２５,２６の内側に画成される遊技領域２７内に、図柄表示装置、始動入賞装置および特別入賞装置、回転案内具等の各種遊技用部品(図２では図示省略)が配置されている。また、外レール２５および内レール２６は、遊技球が通過可能な距離だけ離間するよう構成されて、打球発射装置Ｊから発射されて発射レール２０に沿って飛翔した遊技球が通過する発射通路２８を画成している。そして、打球発射装置Ｊから発射通路２８を介して遊技盤Ｄの遊技領域２７に打ち込まれた遊技球が、始動入賞装置、特別入賞装置またはその他の入賞口に入賞することで、球払出し部から所定数の遊技球が賞球として払出され、前記開口２１および球案内筒４１を介して上球皿Ｅへ払出される。
【００２１】
（前枠）
前記前枠Ｃは、図１、図２、図４〜図７に示すように、中枠Ｂの外郭形状に略合致する板状に形成されると共に前後方向に開口する窓口３１が開設された枠本体３０と、該枠本体３０における該窓口３１の下方前側に固定される設置部材３２とを備えている。枠本体３０は、窓口３１の上方に位置する上枠部３０Ａ、窓口３１の下方に位置する下枠部３０Ｂ、窓口３１の左方に位置する左枠部３０Ｃおよび窓口３１の右方に位置する右枠部３０Ｄとからなり、上下左右の各枠部３０Ａ,３０Ｂ,３０Ｃ,３０Ｄが一体に形成されている。上枠部３０Ａ、左枠部３０Ｃおよび右枠部３０Ｄの各々の前側には、前枠Ｃを構成する上装飾部材３３、左装飾部材３４および右装飾部材３５の各々が、前方へ突出した状態で取り付けられている。上枠部３０Ａ、左枠部３０Ｃおよび右枠部３０Ｄの各々の後側には、各枠部３０Ａ,３０Ｃ,３０Ｄに形成した開口から発光手段である発光ＬＥＤを前方へ臨ませた状態で発光基板３６,３７,３８が、配設されている。ここで、上装飾部材３３、左装飾部材３４および右装飾部材３５は、透明樹脂製の成形部品に装飾部品を取り付けて構成され、対応する発光基板３６,３７,３８が発光制御されることで透明部分が明輝されるようになっている。更に、枠本体３０における下枠部３０Ｂの前側には、上球皿Ｅや可動演出装置Ｍ等を前側から覆う前装飾部材４８や、下球皿Ｅを前側から覆う下装飾部材４９が配設されている。なお、枠本体３０は、上枠部３０Ａ、下枠部３０Ｂ、左枠部３０Ｃ、右枠部３０Ｄが、別体に形成されたものであってもよい。
【００２２】
前記枠本体３０の下枠部３０Ｂには、図４〜図６に示すように、該下枠部３０Ｂの左上隅部に、中枠Ｂに設けられた開口２１に前側から整合する前述の球案内筒４１が、後方へ突出すると共に前後に貫通した状態に形成されている。また、下枠部３０Ｂの前側における中央下方には、打球発射装置Ｊの電磁ソレノイド１８の本体が後側から収容される円形の突状部４２が、前方へ膨出するように形成されている。そして、下枠部３０Ｂの中央上方には、上球皿Ｅから供給される遊技球を枠本体３０の後側へ通出させるための第１球通過口４３が形成されている。更に、下枠部３０Ｂには、第１球通出路Ｒ１を構成する前球通出路☆を画成した中球通路部８７が、前後に開口した筒状に形成されており、中枠Ｂの前側に対して前枠Ｃを閉めた際に、該中球通路部８７の後側に開口した球通入口８７Ａが、後球通路部８５の球通出口８５Ｂに前側から整合するよう構成されている(図１４参照)。なお、中球通路部８７は、下枠部３０Ｂの後側へ突出した状態で形成されている。
【００２３】
前記下枠部３０Ｂの後側には、図５、図７、図１２および図１３に示すように、第１球通過口４３が形成された部位に、上球皿Ｅから供給されて第１球通過口４３を通過した遊技球を打球発射装置Ｊに向けて１個ずつ送り出す球送り装置Ｋが取り付けられる設置部４５が設けられている。また、下枠部３０Ｂの中央には、上球皿Ｅに貯留された遊技球を下球皿Ｆに通出案内する第２球通出路Ｒ２が形成されている。
【００２４】
(設置部材)
前記設置部材３２は、図５および図６に示すように、枠本体３０の下枠部３０Ｂと略同じ外郭形状に形成された板状部材であり、中央から右部に亘って開口３９が形成され、下枠部３０Ｂの後側から複数のネジを締結することで該下枠部３０Ｂの前側に強固に固定される。設置部材３２には、その前面の上部左側に上球皿Ｅが取り付けられ、前面の上部右側に後述する可動演出装置Ｍが取り付けられ、前面の下部左側(上球皿Ｅの下方)に下球皿Ｆが取り付けられると共に、前面の下部右側にハンドルユニットＧが取り付けられる(図６)。また、設置部材３２の前面上方には、可動演出装置Ｍを取り付けるための金属ベース部材８０が、左右に延在すると共に前方へ演出した状態に取り付けられている。
【００２５】
図６および図１０に示すように、前記設置部材３２における上部左側には、枠本体３０の下枠部３０Ｂに形成された球案内筒４１の前側開口に整合する第１球通出口５２が開口形成されている。また、開口３９の上部には、枠本体３０の下枠部３０Ｂに形成された第１球通過口４３に整合する第２球通出口５３が形成されており(図１３参照)、上球皿Ｅに貯留された遊技球を、該第２球通出口５３から第１球通過口４３を介して球送り装置Ｋへ通出案内し得るようになっている。下球皿Ｆの球貯留部７０Ａの右上部には、第１球通出路Ｒ１を構成する前球通出路☆を画成して前後に開口する前球通路部８９が配設されており、設置部材３２を枠本体３０の下枠部３０Ｂの前側に固定すると、該前球通路部８９の後側に開口した球通入口８９Ａが、該下枠部３０Ｂに形成した中球通路部８７の前側に開口した球通出口８７Ｂに前側から整合するように構成されている(図１０、図１４参照)。
【００２６】
前記前装飾部材４８は、図１、図４、図６および図７に示すように、上球皿Ｅおよび可動演出装置Ｍ等を前側からカバーする形状に形成された部材である。すなわち前装飾部材４８は、上球皿Ｅの前側に位置する第１装飾部４８Ａと、可動演出装置Ｍの前側に位置する第２装飾部４８Ｂと、上球皿Ｆの右側に位置する第３装飾部４８Ｃとを備え、第１装飾部４８Ａの左部および第２装飾部４８Ｂの右部が後方へ湾曲している。前装飾部材４８の前面には、所要の意匠形状に形成されると共にメッキや塗装等の表面処理が施された装飾パネルが配設されている。このような前装飾部材４８は、設置部材３２の前面に対してネジ等により強固に固定される。
【００２７】
前記下装飾部材４９は、図１、図８および図９に示すように、設置部材３２の左端から下球皿Ｆの前側に亘って延在して該下球皿Ｅを覆う形状に形成された部材である。下装飾部材４９は、所要の意匠形状に形成されると共にメッキや塗装等の表面処理が施された装飾パネルや、所要の意匠形状に形成されると共に透光性を有する装飾パネルからなり、該透光性を有する装飾パネルの後側には照明基板が配設されていて、該照明基板に配設したＬＥＤ等の発光手段の照射により透光性を有する装飾パネルが明輝するよう構成されている。
【００２８】
(上球皿)
前記上球皿Ｅは、図７、図８および図１０に示すように、前方へ弧状に突出すると共に上方および後方へ開口した球皿本体５５からなっている。球皿本体５５は、多数個の遊技球を貯留し得る球貯留部５５Ａと、該球貯留部５５Ａの右方に連設されて第１球通過口４３まで延在する球整列部５５Ｂとを備えている。また、球皿本体５５における球整列部５５Ｂの右端には、前記第１球通過口４３の前側に球抜き口５７が開口形成されている。この球抜き口５７は、第２球通出路Ｒ２の球流入口１１０の上方に位置して該球流入口１１０に整合しており(図１２参照)、上球皿Ｅに貯留された遊技球を第２球通出路Ｒ２へ通出可能となっている。球皿部材５５は、球貯留部５５Ａから球整列部５５Ｂに亘る底部は右下がりに傾斜するように形成されており、球貯留部５５Ａに貯留された遊技球が球整列部５５Ｂへ自然に移動するよう構成されている。上球皿Ｅは、球皿本体５５の後端縁を設置部材３２の前面における前記球案内筒４１の左方から下方を介して右方に当接させた状態で、前側から複数のネジを設置部材３２に締結することで該設置部材３２に強固に固定され、球貯留部５５Ａに貯留された遊技球の重量を支持し得るようになっている(図６、図７参照)。そして上球皿Ｅは、球皿本体５５の球貯留部５５Ａに貯留された遊技球を、球整列部５５Ｂへ移動する過程で一列に整列させて球送り装置Ｋに向けて供給し得るよう構成されている。また、球貯留部５５Ａから球整列部５５Ｂに亘る底部における設置部材３２の前面側には、導電性を有してアース側に接続された細長い金属板５６が配設されている。これにより、球貯留部５５Ａから球整列部５５Ｂへ移動する遊技球が該金属板５６に接触することで、該遊技球に帯電した静電気を除去し得るように構成されている。
【００２９】
(下球皿)
前記下球皿Ｆは、図４および図５に示すように、前方へ突出すると共に上方および後方へ開口して、多数個の遊技球を貯留し得る球貯留部７０Ａが形成された球皿本体７０からなっている。球皿本体７０は、球貯留部７０Ａが第１球通出路Ｒ１の球通出口８９Ｂの下方に位置するように設置部材３２に固定され、第１球通出路Ｒ１を介して球払出し部側から通出された遊技球や、第２球通出路Ｒ２を介して上球皿Ｅから通出された遊技球を、該球貯留部７０Ａ内に一時的に貯留し得るようになっている。なお、球皿本体７０の底部には、球抜き口７１が形成されると共に、該球抜き口７１を開閉可能なシャッター部材７２が配設され、該シャッター部材７２を開放操作することで、球貯留部７０Ａ内に貯留された遊技球を、球抜き口７１を介してパチンコ機Ｐの前側下方へ通出させ得るようになっている。
【００３０】
(スイッチユニット)
図４および図５に示すように、上球皿Ｅの右前(可動演出装置Ｍの左側)には、スイッチユニット７５が配設されている。このスイッチユニット７５は、図柄表示装置の表示部Ｈにおける表示演出内容に合わせて使用される遊技スイッチ７６や、所定の条件等を選択する選択スイッチ７７や、所定の状態を表示する表示部７８等が配設されている。そして、スイッチユニット７５は、金属ベース部材８０における設置部８２の上面に載置した状態で配設される。
【００３１】
(球抜きユニット)
前記上球皿Ｅの球皿本体５５に設けられた設置ベース部５８には、図８および図１０に示すように、該上球皿Ｅに貯留された遊技球を第２球通出路Ｒ２へ通出可能とする球抜きユニット６０が配設されている。球抜きユニット６０は、図８および図９に示すように、操作部材６２と、該操作部材６２の操作によりスライド移動するスライド部材６３とを備えている。操作部材６２は、上球皿Ｅの前側に取り付けられた支持板６１と設置ベース部５８との間に支軸６４により回転可能に支持され、上球皿Ｅから上方へ突出した操作部６２Ａと、該操作部６２Ａから下方へ延出した作用部６２Ｂとを備えている。そして操作部材６２は、前後に軸線が延在する支軸６４を中心として、非操作位置(図９(ａ))および該非操作位置から右回転した操作位置(図９(ｂ))との間で回転可能となっている。
【００３２】
前記スライド部材６３は、図８、図９(ａ)および図９(ｂ)に示すように、および支持板６１に対し左右方向へのスライド移動が可能に配設されると共に、後方へ延出して球抜き口５７の下方に臨むシャッター部６５を備えている。スライド部材６３は、その右端が操作部材６２の作用部６２Ｂと常に係合すると共に、シャッター部６５が球抜き口５７に位置して該球抜き口５７を塞ぐ規制位置(図９(ａ))と、規制位置から左方へ移動して、シャッター部６５が球抜き口５７から左方へ退避することで該球抜き口５７を開放する開放位置(図９(ｂ))とにスライド可能となっている。なお、枠本体３０の下枠部３０Ｂにおける第１球通過口４３の下側に、横長に形成されてシャッター部６５が前側から差し込まれる開口４６が形成されている(図１２、図１３参照)。この開口４６は、スライド部材６３のスライド移動に伴うシャッター部６５の左右移動を許容する大きさに形成されている。
【００３３】
前記球抜きユニット６０は、非操作時では、引張りコイルバネ６６の付勢によりスライド部材６３が規制位置に移動し、該スライド部材６３に係合した操作部材６２は非操作位置に保持される(図９(ａ)参照)。従って、球抜きユニット６０の非操作時では、シャッター部６５が球抜き口５７に位置して該球抜き口５７を塞ぐことで、上球皿Ｅの球整列部５５Ｂにある遊技球は、球通出口５２を介して球送り装置Ｋ側へ案内される。一方、球抜きユニット６０は、操作部材６２の操作部６２Ａを引張りコイルバネ６６の付勢力に抗して上方から押すと、該操作部材６２が非操作位置から操作位置に向け回転すると共に、操作部材６２の作用部６２Ｂに押されたスライド部材６３が規制位置から開放位置へスライドする(図９(ｂ))。従って、球抜きユニット６０の操作時では、シャッター部６５が球抜き口５７の下方から退避して該球抜き口５７が開放されることで、上球皿Ｅの球整列部５５Ｂにある遊技球は、球送り装置Ｋ側へ案内されずに球抜き口５７から下方へ落下して第２球送出路４６へ流入するようになる。
【００３４】
(第１球通出路)
球払出し部から上球皿Ｅに至る経路の途中から零れた遊技球を下球皿Ｆへ通出案内する前記第１球通出路Ｒ１は、図１４に示すように、中枠Ｂ側に画成された後球通出路８６および前枠Ｃに画成された前球通出路９０とで構成されている。後球通出路８６は、中枠Ｃの下枠部１１の前側に配設された後球通路部８５内に画成されている。また前球通出路９０は、枠本体３０の下枠部３０Ｂに形成された中球通路部８７および設置部材３２に配設された前球通路部８９により画成されている。後球通路部８５は、図３に示すように、球案内筒４１の下方に位置する左上部に、後球通出路８６の球通入口８５Ａが形成されると共に、右下部に該後球通出路８６の球通出口８５Ｂが形成されている。そして、枠本体３０の下枠部３０Ｂに設置部材３２を固定した前枠Ｃを中枠Ｂの前側に閉めることで、後球通路部８５に画成された後球通出路８６と中球通路部８７および前球通路部８９に画成された前球通出路９０とが直列に連通する第１球通出路Ｒ１が画成される。従って、第１球通出路Ｒ１は、球払出し部から上球皿Ｅに至る経路の途中から零れた遊技球を、後球通出路８６および前球通出路９０を介して、該前球通路部８９の球通出口８９Ｂから下球皿Ｆの球皿本体７０へ通出案内する。
【００３５】
(前球通路部)
前記前球通路部８９は、図１０、図１１および図１４に示すように、筒体部９１と、該筒体部９１の前端から外方へ延出した鍔部９２とを備えている。そして、前球通路部８９は、設置部材３２の設置凹部４０に取り付けた状態で該設置部材３２が枠本体３０の下枠部３０Ｂに固定されると、該下枠部３０Ｂに形成された突状部４２の左側に位置すると共に、該前球通路部８９の後端縁が該下枠部３０Ｂの前面に当接または近接した状態で配設される。
【００３６】
前記筒体部９１は、図１１(ａ)、図１１(ｂ)および図１４に示すように、前方にいくにつれて幅広となる(前広がりとなる)角筒状に形成されて、右壁部９３が前後に延在形成されているのに対し、左壁部９４は前方にいくにつれて左方へ変位するよう斜めに延在形成されている。また、上壁部９５は、前後方向において略水平に延在形成され、下壁部９６は、僅かに前下がりとなる傾斜状に延在形成されている。前球通路部８９の球通入口８９Ａおよび球通入口８９Ｂは、開口面積が略同じ矩形に形成されており、球通出口８９Ｂは、左壁部９４の前縁に隣接するように開口形成されている。従って、球通出口８９Ｂは、球通入口８９Ａに対して左方へずれて開口形成されており、該球通出口８９Ｂの右側には、右壁部９３の前縁に連設されて左右に延在する前壁部(壁部)９７が形成されている。これにより、図１および図１０に示すように、前枠Ｃの前側から前球通路部８９を見た場合には、球通出口８９Ｂを介して左壁部９４は視認されるが、右壁部９３は前壁部９７により隠れて視認不能となっている。
【００３７】
前記前球通路部８９の鍔部９２は、図１０、図１１および図１４に示すように、略矩形の外縁形状に形成されており、設置部材３２の開口３９の左側に形成された設置凹部４０に前側から整合するようになっている。鍔部９２の後面には、後方へ延出する複数(実施例では４個)取付ボス９８が形成されており、設置凹部４０に形成されたネジ挿通孔を介して設置部材３２の後側から挿入したネジを各取付ボス９８の後端に締結することで、前球通路部８９が設置部材３２に固定されるようになっている。そして、鍔部９２の右側部分は、前述した前壁部９７と一体に構成されている。
【００３８】
前記前球通路部８９の右壁部９３には、図１１(ａ)、図１１(ｂ)および図１４に示すように、前記第２球通出路Ｒ２の球流出口(出口)１１１が整合する開口９９が形成されている。この開口９９は、前壁部９７の後面９７Ａから後方へ離間した位置に形成され、右壁部９３の後端縁に開口するように形成されている。そして開口９９は、前球通路部８９を取り付けた設置部材３２を前枠Ｃの枠本体３０の下枠部３０Ｂに固定した際に、第２球通出路Ｒ２の球流出口１１１に開口９９が整合するようになっており、第２球通出路Ｒ２と第１球通出路Ｒ１とを空間的に連通するようになっている。
【００３９】
(球誘導部)
前記前壁部９７の後面(背面)９７Ａには、図１１(ｂ)、図１２および図１４に示すように、開口９９から球通出口８９Ｂの右開口端(前壁部９７の左端部)に向け延在する球誘導部１００が設けられている。すなわち、球誘導部１００は、右壁部９３における開口９９の前側内面と前壁部９７の後面９７Ａとにより画成された内側隅角部に設けられている。具体的に、球誘導部１００は、第１球通出路Ｒ１を構成する前球通出路９０内へ突出する複数(実施例では５個)の板状のリブ片(凸部)１０１から構成されている。各リブ片１０１は、前球通路部８９に一体的に形成されており、第１球通出路Ｒ１内を移動する遊技球を当て受け可能な案内面１０２が、開口９９の前開口端から球通出口８９Ｂの右開口端に亘って延在しており、該案内面１０２は前方へいくにつれて左方へ斜めに延在している。すなわち、各リブ片１０１は、上方から見た形状が略三角形となっている(図１４参照)。そして、各リブ片１０１は、上下に所要間隔毎に配設されており、上下に隣接するリブ片１０１,１０１間には溝状の隙間１０３が画成されている。
【００４０】
(第２球通出路)
前記第２球通出路Ｒ２は、図１０および図１１〜図１４に示すように、上球皿Ｅに形成された球抜き口５７の下方から第１球通出路Ｒ１を構成する前球通路部８９の右壁部９３に形成された開口９９に亘って延在するように形成され、球抜きユニット６０のシャッター部６５を挟んで球抜き口５７の下方に位置する球流入口１１０と、開口９９に整合する球流出口１１１とを備えている。第２球通出路Ｒ２は、前枠Ｃを構成する枠本体３０の下枠部３０Ｂに一体形成された第１壁部１１２と、該下枠部３０Ｂの後側に取り付けられる蓋部材１１３に形成された第２壁部１１４とにより構成されている。そして、第２球通出路Ｒ２は、後側から見て略Ｌ字形に延在するように形成されており、上球皿Ｅから下方向へ延在する縦球通出路１１５と、該縦球通出路１１５の下部から第１球通出路Ｒ１との合流部に向けて左方向へ延在する横球通出路１１６とから構成されている。
【００４１】
前記第１壁部１１２は、図１０および図１２に示すように、枠本体３０の下枠部３０Ｂの前面から前方へ突出すると共に該下枠部３０Ｂの後側に開口した半樋状に形成されている。これにより第１壁部１１２は、角筒状に構成される第２球通出路Ｒ２における４つの壁面のうち、３つの壁面を構成している。また、前記第２壁部１１４は、図１２に示すように、第１壁部１１２における下枠部３０Ｂの後面に開口した部分を覆蓋する形状に形成され、角筒状に構成された第２球通出路Ｒ２における４つの壁面のうち、残りの１つの壁面を構成している。蓋部材１１３は、第２壁部１１４の長手方向に延在する鍔部にネジ挿通部１１３Ａを備えており、該ネジ挿通部１１３Ａに挿通したネジ(図示せず)を、枠本体３０の下枠部３０Ｂの裏側から後方へ突設された取付ボス１１７の先端に締結することで該下枠部３０Ｂの後側に取り付けられる。
【００４２】
第２球通出路Ｒ２における前記縦球通出路１１５は、図１０、図１２および図１３に示すように、上球皿Ｅに形成された球抜き口５７の真下から突状部４２の上方まで、垂直下方へ直線に延在している。従って、縦球通出路１１５は、球抜きユニット６０の球抜き操作により上球皿Ｅから球抜き口５７を介して落下した遊技球を、該遊技球の自重によりスムーズに流下させ得るように構成されている。
【００４３】
第２球通出路Ｒ２における前記横球通出路１１６は、図１０、図１２および図１４に示すように、左右方向の中間部分が突状部４２の上縁に沿って左下がりに湾曲すると共に、該突状部４２から外れた左部分は開口９９に向けて僅かに左下がりとなる直線状に形成されている。そして横球通出路１１６は、縦球通出路１１５の下部から開口９９に向けて、僅かに左下がりとなるように延在している。従って、横球通出路１１６は、縦球通出路１１５を勢いよく落下した遊技球を、適宜減勢および減速させた後に第１球通出路Ｒ１へ通出させ得るように構成されている。
【００４４】
(実施例の作用)
前述のように構成された実施例のパチンコ機Ｐは、上球皿Ｅから球送り装置Ｋを介して打球発射装置Ｊへ供給され、該打球発射装置Ｊにより遊技盤Ｄの遊技領域２７へ打ち込まれた遊技球が、該遊技領域２７内に配設された始動入賞装置、特別入賞装置または普通入賞装置に入賞すると、当該パチンコ機Ｐを総合的に制御する主制御基板により球払出し部の球払出し装置が作動制御され、所定数の遊技球が賞球として払出される。そして、上球皿Ｅが遊技球で満杯状態となっていない場合には、球払出し部から払出された遊技球は、上球皿Ｅの球貯留部５５Ａ内へ通出され、該球貯留部５５Ａ内に一時的に貯留される。そして、パチンコ遊技が継続される場合(球抜きユニット６０による球抜き操作が行なわない場合)は、上球皿Ｅに貯留された遊技球は、球整列部５５Ｂから球送り装置Ｋへ案内されて打球発射装置Ｊにより遊技盤Ｄの遊技領域２７へ打ち込まれる。
【００４５】
そして、パチンコ遊技中に、球払出し部から払出された遊技球において、該球払出し部から上球皿Ｅに至る経路の途中から零れた遊技球は、図１４に示す第１球通出路Ｒ１へ通出案内される。球払出し部から第１球通出路Ｒ１側へ移動した遊技球は、第１球通出路Ｒ１を構成する後球通出路８６および前球通出路９０を通過した後、前球通路部８９の球通出口８９Ｂから下球皿Ｆの球貯留部７０Ａ内へ通出される。
【００４６】
ここで、第１球通出路Ｒ１内を移動する遊技球は、図１４に示すように、前球通出路９０内に入ると、前球通路部８９内に設けられた球誘導部１００を構成するリブ片１０１の案内面１０２に適宜接触するようになる。従って、球誘導部１００におけるリブ片１０１の案内面１０２に接触した遊技球は、前球通路部８９の球通出口８９Ｂ側へ変向され、該球通出口８９Ｂを介して下球皿Ｆへスムーズに通出される。
【００４７】
一方、上球皿Ｅに遊技球が貯留された状態で球抜きユニット６０による球抜き操作が行なわれると、図９(ｂ)に示すように、上球皿Ｅの球抜き口５７を閉じていたシャッター部６５が該球抜き口５７から左方へ退避することで該球抜き口５７が開放されるから、上球皿Ｅ内の貯留球は、該球抜き口５７から下方への落下が許容される。球抜き口５７から落下した遊技球は、第２球通出路Ｒ２の球流入口１１０を介して、該第２球通出路Ｒ２の縦球通出路１１５内を流下した後、該第２球通出路Ｒ２の横球通出路１１６を左方へ移動した後、該第２球通出路Ｒ２の球流出口１１１および前球通路部８９の開口９９を介して、第１球通出路Ｒ１の前球通出路９０内へ通出される。第１球通出路Ｒ１内へ通出された上球皿Ｅからの遊技球は、前球通路部８９の球通出口８９Ｂから下球皿Ｆの球貯留部７０Ａへ通出される。
【００４８】
ここで、第２球通出路Ｒ２から第１球通出路Ｒ１内へ通出された遊技球は、図１４に示すように、前球通出路９０内に設けられた球誘導部１００を構成するリブ片１０１の案内面１０２に接触可能となっている。従って、球誘導部１００におけるリブ片１０１の案内面１０２に接触した遊技球は、前球通路部８９の球通出口８９Ｂ側へ変向され、該球通出口８９Ｂを介して下球皿Ｆへスムーズに通出される。
【００４９】
また、実施例のパチンコ機Ｐでは、前球通路部８９の球通出口８９Ｂが、該前球通路部の球通入口８９Ａに対して左方にずらして形成され、該前球通路部８９の右壁部９３が、球通出口８９Ｂの右側に形成された前壁部９７により前側から隠れた状態に構成されている。従って、第１球通出路Ｒ１に合流するように延在形成され第２球通出路Ｒ２の球流出口１１１が、該球流出口１１１の前側(下流側)に設けられた前壁部９７により隠れるから、球通出口８９Ｂから該球流出口１１１の位置を容易に確認することができない。従って、実施例のパチンコ機Ｐは、第２球通出路Ｒ２が、第１球通出路Ｒ１の球通出口８９Ｂから球流出口１１１を介して該第２球通出路Ｒ２へ針金等の異物１２０を挿入する不正行為の糸口とされることを防止することができる。
【００５０】
また、前記前壁部９７の後側に設けられた球誘導部１００が、上下に離間する複数のリブ片１０１に構成されると共に、各リブ片１０１,１０１間に溝状の隙間１０３が画成されている。これにより、図１５に示すように、第１球通出路Ｒ１の球通出口８９Ｂから挿入した針金等の異物１２０の先端が、球誘導部１００におけるリブ片１０１に引掛かり易くなり、開口９９および球流出口１１１を介して該異物１２０を第２球通出路内へ侵入させることを困難にすることができる。
【００５１】
更に、第２球通出路Ｒ２は、縦球通出路１１５と横球通出路１１６とが略直角に連設されているから、万一、第１球通出路Ｒ１の球通出口８９Ｂから挿入した異物１２０が、開口９９および球流出口１１１を介して第２球通出路Ｒ２内へ侵入したとしても、横球通出路１１６と縦球通出路１１５との屈曲部において該異物１２０の先端が引掛かるようになり、該異物１２０が縦球通出路１１５を介して上球皿Ｅまで到達することを防止し得る。
【００５２】
(変更例)
本発明に係る遊技機は、実施例に例示の形態に限らず種々の変更が可能である。
（１）第２球通出路Ｒ２は、前枠Ｃの枠本体３０における下枠部３０Ｂに対し、後側へ突出した状態に形成してもよい。すなわち、第１壁部１１２が下枠部３０Ｂの後方へ膨出し、下枠部３０Ｂの前側に開口した部分に蓋部材１１３を装着することで、第２球通出路Ｒ２を形成してもよい。このように下枠部３０Ｂの後側へ突出した第２球通出路Ｒ２は、その球流出口１１１が中球通路部８７の右壁部に整合するようになり、該中球通路部８７の右壁部に、第２球通出路Ｒ２の球流出口１１１と整合する開口を設けることで、第２球通出路Ｒ２を第１球通出路Ｒ１に合流させることが可能である。
（２）第２球通出路Ｒ２は、前球通路部８９の上壁部９５に合流するように、枠本体３０の下枠部３０Ｂに形成してもよい。このように前球通路部８９の上壁部９５に第２球通出路Ｒ２を合流するよう構成した場合には、球通出口８９Ｂの上開口縁に隣接するように前壁部９７を設けることで、該前壁部９７により第１球通出路Ｒ１に開口した第２球通出路Ｒ２の球流出口１１１を隠すことができる。
（３）第２球通出路Ｒ２を構成する第１壁部１１２は、前枠Ｃの枠本体３０と別体に構成したものであってもよい。第２球通出路Ｒ２を前枠Ｃの枠本体３０と別体とした場合には、第１壁部１１２および第２壁部１１４は、枠本体３０に組付ける形態としたり、該枠本体３０に組付けずに上球皿Ｅと前球通路部８９とに組付ける形態として実施することが可能である。
（４）前球通路部８９の筒体部９１を、枠本体３０の下枠部３０Ｂの中球通路部８７内を貫通して後方へ延長させ、該筒体部９１の後端縁を後球通路部８５の球通出口８５Ｂの周囲に当接するようにして、これら後球通路部８５および前球通路部８９で第１球通出路Ｒ１を画成するようにしてもよい。
（５）実施例では、遊技機としてのパチンコ機を示したが、遊技機はパチンコ機に限られるものではなく、アレンジボール機やスロットマシン等であってもよい。
【符号の説明】
【００５３】
６０ 球抜きユニット(球抜き手段)，８９Ｂ 球通出口，９７ 前壁部(壁部)
１００ 球誘導部，１０１ リブ片(凸部)，１１１ 球流出口(出口)，１１５ 縦球通出路
１１６ 横球通出路，Ｅ 上球皿(上球貯留部)，Ｆ 下球皿(下球貯留部)
Ｒ１ 第１球通出路，Ｒ２ 第２球通出路
【図１】
2014061032.tif 000003
【図２】
2014061032.tif 000004
【図３】
2014061032.tif 000005
【図４】
2014061032.tif 000006
【図５】
2014061032.tif 000007
【図６】
2014061032.tif 000008
【図７】
2014061032.tif 000009
【図８】
2014061032.tif 000010
【図９】
2014061032.tif 000011
【図１０】
2014061032.tif 000012
【図１１】
2014061032.tif 000013
【図１２】
2014061032.tif 000014
【図１３】
2014061032.tif 000015
【図１４】
2014061032.tif 000016
【図１５】
2014061032.tif 000017